(57)【要約】      （修正有）【課題】パチンコ機等の遊技機で使用されて汚れた遊技玉を島以外の場所で清浄化することのできる手軽な洗浄研磨機を提供する。【解決手段】使用した遊技玉を供給する供給口と、供給口から受け入れた遊技玉を転動させながら表面を研磨材と洗浄液に接触させて研磨する研磨装置３と、該研磨装置３で研磨された遊技玉を所定方向に搬送する搬送装置５と、搬送中の遊技玉を乾燥させる乾燥装置４と、搬送された遊技玉を受け入れる貯留容器６とを本体内に収納した遊技玉洗浄研磨機。本体の下部には、自由に移動できるようにキャスター７を取り付けておくのが好ましい。【選択図】図１
0003196786.tif 000002
【実用新案登録請求の範囲】
【請求項１】
使用した遊技玉を供給する供給口と、供給口から受け入れた遊技玉を転動させながら表面を研磨材と洗浄液に接触させて研磨する研磨装置と、該研磨装置で研磨された遊技玉を所定方向に搬送する搬送装置と、遊技玉を乾燥させる乾燥装置と、搬送された遊技玉を受け入れる貯留容器とを本体内に収納したことを特徴とする遊技玉洗浄研磨機。
【請求項２】
前記研磨装置が、外周部に遊技玉を保持する保持手段を備えた円筒状の回転ドラムと、該回転ドラムの外周部に配置され前記回転ドラムの外周部との間で遊技玉を挟圧保持する柔軟な研磨材とを備えた研磨装置である請求項１に記載の遊技玉洗浄研磨機。
【請求項３】
前記研磨装置が、遊技玉を保持する保持手段が設けられた底板を備えた回転円盤と、該回転円盤の底板上に保持された遊技玉を研磨するブラシとを備えた円盤状研磨装置である請求項１に記載の遊技玉洗浄研磨機。
【請求項４】
前記研磨装置が、遊技玉を掻き揚げる複数のブレードが内部に設けられた中空回転ドラムを備え、該回転ドラムの内部に遊技玉を供給する供給口と、回転ドラムの内部に洗浄液を供給する洗浄液供給口と、内部の空気を排出する排気口とが設けられているバレル研磨式研磨装置である請求項１に記載の遊技玉洗浄研磨機。
【請求項５】
乾燥装置が、外周部に遊技玉を保持する保持手段を備えた円筒状の乾燥用回転ドラムと、該回転ドラムの外周部との間で遊技玉を挟圧保持する柔軟な吸水材と、乾燥用回転ドラムの外周部に空気を吹き付けるブロワとを備えている請求項１又は２に記載の遊技玉洗浄研磨機。
【請求項６】
本体の下部に該本体を移動させるためのキャスターが設けられている請求項１乃至５のいずれかに記載の遊技玉洗浄研磨機。
【考案の詳細な説明】
【技術分野】
【０００１】
本考案は、パチンコ玉等の遊技玉を洗浄および研磨して清浄化するために使用される遊技玉洗浄研磨機に関するものである。
【背景技術】
【０００２】
パチンコ店等の遊技場には、使用により汚れた遊技玉を磨いて清浄化するための研磨機が設置されている。従来の研磨機は、遊技玉を所定の方向に送りながら研磨材に接触させて表面を研磨するものが一般的であり、所定数の遊技機が並設されたブロック、いわゆる島ごとに配置されていた。
【０００３】
この種の研磨装置としては、例えば下記特許文献１，２に記載のものが知られている。ところがこの種の装置では、遊技玉の汚れがひどい場合は、遊技玉の流れが円滑に行われなくなり、洗浄研磨装置が詰まって、故障や破損を引き起こすおそれがあったので、遊技玉の汚れがひどい場合は、洗浄研磨機のトラブルを避けるために島外で別途遊技玉の洗浄研磨を行うことがあった。
【０００４】
しかしながら、島外で遊技玉の洗浄研磨を行う場合は、汚れた遊技玉をザル等に受け、人力で所定の位置まで運んで人力で洗浄と研磨を行わなければならないので、多大の労力と時間を要していた。
【先行技術文献】
【特許文献】
【０００５】
【特許文献１】特開平７−２４６２７９号公報
【０００６】
【特許文献２】特開２００５−２３０４３８号公報
【考案の概要】
【考案が解決しようとする課題】
【０００７】
本考案は、上記事情に鑑み、汚れた遊技玉の洗浄、研磨、乾燥等の処理を島外で容易かつ手軽に行うことのできる遊技玉自動洗浄研磨機を提供することを課題としている。
【課題を解決するための手段】
【０００８】
上記課題を解決するため、本考案は次のような構成を採用した。すなわち、請求項１に記載の本考案に係る遊技玉の洗浄研磨機は、使用した遊技玉を供給する供給口と、供給口から受け入れた遊技玉を転動させながら表面を研磨材と洗浄液に接触させて研磨する研磨装置と、該研磨装置で研磨された遊技玉を所定方向に搬送する搬送装置と、搬送中の遊技玉を乾燥させる乾燥装置と、搬送された遊技玉を受け入れる貯留容器とを本体内に収納したことを特徴としている。
【０００９】
また、請求項２に記載の遊技玉の洗浄研磨機は、前記研磨装置として、外周部に遊技玉を保持する保持手段を備えた円筒状の回転ドラムと、該回転ドラムの外周部に配置され前記回転ドラムの外周部との間で遊技玉を挟圧保持する柔軟な研磨材とを備えた研磨装置を用いるものである。
【００１０】
請求項３に記載の遊技玉の洗浄研磨機は、前記研磨装置として、遊技玉を保持する保持手段が設けられた底板を備えた回転円盤と、該回転円盤の底板上に保持された遊技玉を研磨するブラシとを備えた円盤状研磨装置を用いるものである。
【００１１】
請求項４に記載の遊技玉の洗浄研磨機は、前記研磨装置が、遊技玉を掻き揚げる複数のブレードが内部に設けられた中空回転ドラムを備え、該回転ドラムの内部に遊技玉を供給する供給口と、回転ドラムの内部に洗浄液を供給する洗浄液供給口と、内部の空気を排出する排気口とが設けられているバレル研磨式研磨装置である。
【００１２】
請求項５に記載の遊技玉の洗浄研磨機は、乾燥装置が、外周部に遊技玉を保持する保持手段を備えた円筒状の乾燥用回転ドラムと、該回転ドラムの外周部との間で遊技玉を挟圧保持する柔軟な吸水材と、乾燥用回転ドラムの外周部に空気を吹き付けるブロワとを備えているものである。さらに、請求項６に記載の遊技玉の洗浄研磨機は、本体の下部に該本体を移動させるためのキャスターが設けられているものである。
【考案の効果】
【００１３】
本考案に係る遊技玉の洗浄研磨機は、洗浄研磨装置と、乾燥装置と、搬送装置を備えたものであるから、装置的にコンパクトなものとすることができ、汚れた遊技玉を供給口から供給するだけで研磨材による研磨と、洗浄液による洗浄と、乾燥装置による乾燥を順次連続的に行うことができ、汚れた遊技玉を能率よく清浄化して送り出すことができるようになる。
【００１４】
請求項２に記載のように、前記研磨装置として、外周部に遊技玉を保持する保持手段を備えた円筒状の回転ドラムと、該回転ドラムの外周部に配置され前記回転ドラムの外周部との間で遊技玉を挟圧保持する柔軟な研磨材とを備えた研磨装置を用いれば、動作が確実であり、堅牢な装置とすることができる。また、請求項３に記載のように、遊技玉を保持する保持手段が設けられた底板を備えた回転円盤と、該回転円盤の底板上に保持された遊技玉を研磨するブラシとを備えた円盤状研磨装置を用いると、よりコンパクトな装置とすることができる。
【００１５】
さらに、請求項４に記載のように、遊技玉を掻き揚げる複数のブレードが内部に設けられた中空回転ドラムを備え、該回転ドラムの内部に遊技玉を供給する供給口と、回転ドラムの内部に洗浄液を供給する洗浄液供給口と、内部の空気を排出する排気口とが設けられているバレル研磨式研磨装置を用いれば、特別の研磨材を使用しなくても遊技玉の研磨をおこなうことができる。また、請求項５に記載のように、乾燥装置として、外周部に遊技玉を保持する保持手段を備えた円筒状の乾燥用回転ドラムと、該回転ドラムの外周部との間で遊技玉を挟圧保持する柔軟な吸水材と、乾燥用回転ドラムの外周部に空気を吹き付けるブロワとを備えたものを用いれば、乾燥を効果的に行うことができる。なお、請求項６に記載のように、本体にキャスターを設けておけば、移動に便利であり、手軽にどこにでも移動して作業をおこなうことができる。
【図面の簡単な説明】
【００１６】
【図１】本考案の実施形態を表す斜視図である。
【図２】その要部の正面図である。
【図３】その背面図である。
【図４】異なる実施形態の斜視図である。
【図５】その側面図である。
【図６】その底面図である。
【図７】さらに異なる実施形態の断面図である。
【図８】その外観図である。
【図９】その正面から見た断面図である。
【図１０】さらに異なる実施形態の正面図である。
【図１１】その斜視図である。
【図１２】さらに異なる実施形態の平面図（a）およびX−X矢視図（b）である。
【図１３】その斜視図（a）およびY−Y矢視図（b）である。
【考案を実施するための最良の形態】
【００１７】
以下、本考案の好ましい実施形態について具体的に説明する。図１、図２、図３は本考案の遊技玉の洗浄研磨機の一例を表すもので、この洗浄研磨機１は、箱状の本体２の内部に洗浄研磨装置３と、乾燥装置４と、リフト式搬送装置５と、受け箱６を備えている。本体２の下部の四隅には、キャスター７が取り付けられている。
【００１８】
洗浄研磨装置３の上方には、広い開口を有する箱状の投入口１０が設けられており、その底部には一方の端部から中央部に向かって傾斜して延びる受け板１１と、反対側の端部から前記受け板１と反対向きに傾斜して受け板１１の下側に延びる案内板１２とが設けられている。受け板１１の先端部は投入口１０の左右中央部に位置しており、案内板１２の端部は、前記受け板１１の基部付近の下側に達しているが、受け板１１の端部位置よりも先端側は、遊技玉が転動する溝が多数設けられた整流板部１２ａとなっている。
【００１９】
受け板１１の中央側端部と案内板１２の中間部との間、及び案内板１２の先端部と投入口１０の側壁との間には、玉が流通するに十分な隙間Ｓがそれぞれ設けられている。この案内板１２の下側には、玉を整流状態で逆方向に案内する案内体として、多数の溝を備えた反転案内板１３が設けられている。反転案内板１３は上記案内板１２と反対向きに傾斜していて、その先端部はほぼ垂直下向きに屈曲している。
【００２０】
上記反転案内板１３の屈曲した垂直部１３ａは、本体２の側壁に沿って垂下しており、その下端部は、前記研磨装置３の外周部に臨んでいる。この垂直部１３ａの下側には、該垂直部１３ａの延長線との間に玉が流通できる間隔をおいてガイドレール１４の立上がり部１４ａが設けられている。ガイドレール１４は、上記垂直部１３ａと同様な遊技玉が通る溝付きの部材で、研磨機３の回転ドラム２０の下部外周面に沿って湾曲していて、この湾曲部と回転ドラム２０との間に、回転ドラム２０に保持された遊技玉Ｂに摺接して該遊技玉を研磨するベルト状の研磨材１５が保持されている。また、ガイドレール１４の下面側は、該ガイドレールと同様に湾曲する支持部材１６によって支持されている。
【００２１】
洗浄研磨装置３の回転ドラム２０は円筒状であり、支持部材２１の３本のアームの先端部にそれぞれ軸支されたローラ２２によって内側から回転自在に支持されている。回転ドラム２０の回転軸２３にはプーリ２４が取り付けられ、タイミングベルト２５がこれに掛けられている。タイミングベルト２５はモータ２７のプーリに掛けられており、該モータによって所定速度で回転駆動される。
【００２２】
洗浄研磨装置３の回転ドラム２０の下側には洗浄液タンク３０が設置され、前記回転ドラム２０の下部はこの洗浄液タンク３０内に嵌まり込んでいる。洗浄液タンク３０には洗浄液３１がＷＬのレベルまで容れられていて、回転ドラム２０に保持された遊技玉Ｂがこの洗浄液３１に浸される。
【００２３】
回転ドラム２０の外周部には、玉保持手段が設けられている。図示例では、この玉保持手段は遊技玉Ｂが所定深さまで嵌まり込む多数の保持穴Ｈ（凹部でもよい）として形成されている。遊技玉Ｂはこの保持穴Ｈに回転可能に嵌まり込んだ状態で保持される。
【００２４】
洗浄研磨装置３の下流側には乾燥装置４が設置されている。乾燥装置４は前記洗浄研磨装置３の回転ドラム２０とほぼ同様な回転ドラム４０を備え、研磨装置の回転ドラム２０と同様に、支持部材２１の３本のアームの先端部にそれぞれ軸支されたローラ２２によって内側から回転自在に支持されている。回転ドラム４０の回転軸４３にはプーリ４４が取り付けられ、前記タイミングベルト２５がこれに掛けられている。
【００２５】
乾燥装置４の回転ドラム４０の外周面にも前記研磨装置の回転ドラム２０と同様な玉保持手段として、多数の保持穴Ｈが設けられている。回転ドラム４０の下部にもガイドレール１４が設けられ、該ガイドレールが支持部材１６によって支持されている。乾燥装置４の場合は、回転ドラム４０とガイドレール１４との間に研磨材の代わりに洗浄液を拭き取る吸水材（例えばスポンジ）４２が設けられている。
【００２６】
乾燥装置４の回転ドラム４０の上方には、該回転ドラム４の外周部に向かって空気を吹き付ける乾燥ブロワ４５が設けられている。この乾燥ブロワ４５は、本体２の機枠に固定支持されている。
【００２７】
前記洗浄研磨装置３の回転ドラム２０の回転軸２３と、乾燥装置３の回転ドラム４０の回転軸４３は支持フレーム４８によって支持されている。この支持フレーム４８は、本体２の機枠に固定支持されている。そして、前記モータ２７と支持部材２１はこのフレーム４８に支持されている。
【００２８】
乾燥装置４の下流側には、乾燥した遊技玉を搬送する搬送装置５が設けられている。図示例ではこの搬送装置５は乾燥装置の出口から玉を持ち上げるリフトとして構成されている。このリフト式搬送装置５は、駆動モータ５１に取り付けられた駆動プーリ５２と、上方の従動プーリ５３に掛けられた搬送ベルト５４を備え、該搬送ベルトの表面には、遊技玉を持ち上げるための仕切り板５５が所定間隔で設けられている。
【００２９】
搬送装置５の排出口５６の下側には、遊技玉を受ける受け容器６０が設けられている。リフト式搬送装置５で持ち上げられた遊技玉は、排出口５６から排出され、受け容器６０に貯められた後、シャッター付きの開口６２からジョッキ６５内に落とし込まれ、該ジョッキで６５で搬出される。
【００３０】
この洗浄研磨装置１の使用に際しては、使用済みの汚れた遊技玉Ｂを供給口１０に投入する。投入された玉は、受け板１１と案内板１２上に落下するが、受け板１１上に落下した玉Ｂは該受け板１１の傾斜によって中央部へ転動し、案内板１２上に落下する。また、受け板１２上に落下した玉Ｂは、該受け板１２の傾斜によって図２の左方へ転動し、隙間Ｓから反転案内板１３上に落下して、図の右端部まで移動し、垂直屈曲部１３ａに沿って乾燥装置３の回転ドラム上に落とし込まれる。
【００３１】
落下した玉Ｂは、ガイドレール１４の立上がり部１４ａの作用によって回転ドラム２０の保持孔Ｈに部分的に嵌まり込み、回転ドラム２０の回転によって洗浄液タンク３０内の洗浄液３１に浸されるとともに、該回転ドラム２０の円周に沿って設けられた研磨材１５によって研磨され、しかるのち、ガイドレール１４に沿って乾燥装置４に送られる。なお、洗浄液は、上記保持孔Ｈを通って回転ドラム２０の内側にも流通する。
【００３２】
乾燥装置４に送られた遊技玉は、前記洗浄研磨装置３の回転ドラム２０と同様に、乾燥装置４の回転ドラム４０の外周の保持手段によって保持され、該回転ドラム４０の回転とともにガイドレールに沿って設けられた吸水材４２に摺接して、付着した液体が除去される。また、上方の乾燥ブロワ４５から吹き付けられる空気によって乾燥され、ガイドレールに沿って移動して搬送装置５に送られる。
【００３３】
乾燥装置５に送られた乾燥済みの遊技玉Ｂは、搬送ベルト５４によって上方へ搬送され、排出口５６から受け容器６０内に落とし込まれる。この受け容器内に落とし込まれた遊技玉は、適宜シャッター付きの開口６２からジョッキ６５内に移され、該ジョッキによって搬出される。
【００３４】
上記実施形態では、玉保持手段として、遊技玉が部分的に嵌り込む穴Ｈ（凹部）が設けられているが、遊技玉を吸着する磁石でもよい。磁石はネオジム磁石等の永久磁石でもよく、電磁石でもよい。また、遊技玉の搬送手段としては、電磁石を利用するソレノイド式押出し装置を利用して、遊技玉を所定方向に押出すことも可能である。さらに、ネジ、釘等の異物を排除する公知の選別装置を設けておくのが好ましい。
【００３５】
上記洗浄液としては、アルカリ水溶液、電気分解水（イオン洗浄液）、水、温水、蒸気等を利用することができる。洗浄液生成のための電器分解装置を併設しておけば便利である。さらに、洗浄効率を上げるために、洗浄液を溜める洗浄液タンクに３０に超音波発生装置を設けておけば、より効果的である。
【００３６】
この洗浄研磨機は、樹脂材料（例えばPC,PP、PET。PA6.、POM、PVC、ABS、シリコン等）、金属材料（例えば銅、鉄、ステンレス、アルミニウム、マグネシウム、ジュラルミン等）、繊維材料（例えば紙、布、皮等）を適当に選択使用して構成することができる。
【００３７】
次に、図４、図５、図６は、洗浄研磨装置３の異なる実施形態を表すもので、この実施形態では、洗浄研磨装置３Ａが、回転円盤式の研磨装置として構成されている。この洗浄研磨装置３Ａは、底板７１と、外壁７２と、蓋部材７３とで円形に形成された本体７０内に回転円盤７５が設けられている。回転円盤７５の中央部には、回転駆動軸７６が設けられ、モータの出力により図の矢印方向に回転するようになっている。
【００３８】
回転円盤７５には、遊技玉保持手段として遊技玉Ｂが部分的に嵌まり込む保持穴Ｈが多数設けられており、その３箇所に回転ブラシ７７が取り付けられている。回転ブラシ７７はスポンジ等の発泡体や、繊維（綿、不織布）や皮のほか、スポンジ、ゴム等の樹脂成形品、公知の研磨布等の研磨材で作られたブラシであり、該回転ブラシ７７の中央部には、回転軸７８が設けられ、図示を省略したモーターにより、所定方向に回転駆動されるようになっている。
【００３９】
回転ブラシの中央部には、洗浄液を注入する注入口７９が設けられている。また、蓋部材７３の適所には、汚れた遊技玉Ｂを供給する供給口８０が設けられている。さらに、上記回転円盤７５の適所には、外壁７２から中央部にまで延びる仕切り板８２が設けられており、汚れた遊技玉と洗浄後の遊技玉を分離するようになっている。
【００４０】
回転円盤７５の仕切り板８２の前記供給口８０とは反対側の近傍には、排出口８３が設けられている。回転円盤７５の下側には、排出筒８５が設けられており、前記回転円盤７５の排出口８３の下側に位置するその先端部には、遊技玉と液体とを分離するスノコ部８４が設けられている。排出筒８５は、清浄化した遊技玉が転動して排出される筒体であり、ブロワの空気を吹き込むエア吹き込み口８６と、排気と水分を吸引して排出するバキューム口８７と、玉排出口８８が設けられている。
【００４１】
回転円盤７５は、排出口８３側が低くなるように前後方向に角度αだけ傾斜しており、かつ、前記供給口７９側が低くなるように、左右方向に角度βだけ傾斜している。角α、βの大きさは、遊技玉が適当な速度で円滑に供給口側から排出口側へ転動するような大きさである。
【００４２】
この洗浄研磨装置３Ａの使用に際しては、回転部ブラシ７７を所定方向に回転させ、回転円盤７５を図の矢印方向に回転させながら供給口８０から使用済みの汚れた遊技玉を投入する。また、注入口７９から洗浄液を適量ずつ注入する。投入された遊技玉は、回転円盤７５の回転とともに矢印方向に移動するが、途中、回転ブラシ７７の注入口７９から注入された洗浄液が表面に付着するとともに、回転ブラシ７７によって研磨される。
【００４３】
研磨された遊技玉は、回転円盤の回転とともに仕切り板８２の反対側に移動し、最終的には、排出口８３から落下排出される。この排出された遊技玉は、排出筒８５のスノコ部８４によって洗浄液と分離されるとともに、排出筒８５の傾斜に沿って玉排出口側へ移動しつつ、エア吹き込み口８６から吹き込まれるエアによって乾燥され、排出筒８５の玉排出口８８から外部へ排出される。
【００４４】
この洗浄研磨装置３Ａは、回転ドラムを用いず、回転円盤７５で回転と移動を行うので、装置的にはコンパクトなものとすることができる。また、前記実施例と異なり、特別な乾燥用ドラムを必要としないので、この点でも装置的に簡単で、コンパクトなものとすることができる。
【００４５】
つぎに、図７、図８、図９は、さらに異なる実施形態を表すもので、この例では、洗浄研磨装置として、バレル式の研磨装置３Ｂが採用されている。この洗浄研磨装置３Ｂは、概略算盤玉状の回転ドラム９０を備え、この回転ドラム９０の一端部に設けられている中空の駆動軸９１のプーリ９２とモータ９３の出力プーリ９４に掛けられたベルト９５を介して所定方向に回転駆動される。なお、回転ドラム９０の駆動軸９１の中空部は空気が流通する通気孔となっており、その外側端部に設けられた給気口９６は、温風を供給するブロワ（図示を省略）とホースで結ばれている。
【００４６】
回転ドラム９０の内面には通孔Ｈが多数穿設されている。通孔Ｈは、洗浄液が流通する通路であるとともに、上記実施形態における保持穴Ｈとしても機能し、遊技玉Ｂはこの通孔Ｈに部分的に嵌まり込んで回転自在に保持される。また、回転ドラム９０の内部には、遊技玉を掻き揚げるブレード９７が所定間隔で設けられている。このブレード９７にも多数の通孔Ｈが穿設されている。
【００４７】
回転ドラム９０の駆動軸９１と反対側の端部には、使用済みの汚れた遊技玉を投入する投入口９８と、清浄化された遊技玉を排出する排出口９９が設けられている。これら投入口９８と排出口９９は、回転ドラム９０の中心線よりも若干偏芯して設けられている。排出口９９には電磁バルブが付設されており、その開閉を制御できる。
【００４８】
回転ドラム９０は、洗浄液タンク１００内に収納されている。この洗浄液タンク１００には、注入口１０１と、液排出口１０２と、排気口１０３が設けられている。注入口１０１と液排出口１０２には電磁バルブが付設されており、その開閉を制御できる。なお、排気口１０３には、図示を省略した排気用の吸引装置がホースで接続されている。
【００４９】
洗浄液タンク１００の上部には、使用済み遊技玉を回転ドラム内に供給するための遊技玉ホッパー１０５が設けられている。この遊技玉ホッパー１０５は供給口１０６を備え、前記回転ドラム９０の投入口９８とホース及び電磁バルブ付きの配管（図示を省略）で接続されている。
【００５０】
この研磨装置３Ｂの使用に際しては、汚れた使用済みの遊技玉を遊技玉ホッパー１０５に投入し、回転ドラム９０の投入口９８の電磁バルブを開いて遊技玉を適量だけ回転ドラム９０内に投入する。また、洗浄液注入口１０１の電磁バルブを開き、液排出口１０２の電磁バルブを閉にして、適正な水位になるまで洗浄液を洗浄液タンク１００内に供給する。適正水位になったら注入口１０１の電磁バルブを閉にする。洗浄液や供給する遊技玉の量の制御には、タイマーや、液面センサー、近接センサー、ボールタップ等のセンサー類を使用すればよい。
【００５１】
この状態で回転ドラム９０を図９の矢印方向に適当な時間だけ回転させる。遊技玉は洗浄液に浸されるとともに、ブレード９７によって掻き揚げられ、回転ドラム９０の回転とともに転動しながら移動する。これにより、汚れた遊技玉はバレル式に研磨される。
【００５２】
回転ドラム９０を適当時間回転させてから、温風ブロワを作動させて、給気口９６から温風を回転ドラム内に吹き込むとともに、液排出口１０２を開いて内部の洗浄液を排出する。洗浄液の排出が完了したら、液排出口１０２を閉じ、排気口１０３に接続された吸引装置を作動させて回転ドラム９０の内部の湿った空気を排出する。
【００５３】
上記のように、洗浄液の存在下で共摺り効果によって研磨された遊技玉は、回転ドラム９０を所定量逆転させて排出口９９を適正な位置に移動させた後、排出口９９を開いて外部に取り出す。上記作動時間やバルブの開閉等は、自動制御で行うことができる。なお、洗浄タンク１００に超音波振動装置を付加すれば、洗浄効率は向上する。
【００５４】
つぎに、図１０、図１１は、研磨装置のさらに異なる実施形態をあらわすもので、この研磨装置３Cは、中空回転ドラム１１０を備え、該回転ドラムの中心部に駆動軸１１１が設けられている。この駆動軸は、図示を省略したモータにより回転駆動される。
【００５５】
回転ドラム１１０の内側には、円周方向に沿って適当間隔で永久磁石１１２が取り付けられている。また、この永久磁石１１２の取付け位置の外面側には、遊技玉が部分的に嵌まり込むスリット１１３が形成されている。回転ドラム１１０の円周の約半分の外側には研磨材１１５が回転ドラム１１０の外周に沿って設けられている。
【００５６】
回転ドラム１１０の下部には、スノコ状の遊技玉供給装置１１７が設けられており、その底面は前記研磨材１１５の始端部付近まで延びている。また、回転ドラム１１０の上部には、該回転ドラムの表面に保持されている遊技玉を掻き取る仕切り板１２０が設けられている。この仕切り板１２０と回転ドラム１１０の外面との間には遊技玉がランダムに運動するような隙間が設けられている。さらに、回転ドラム１１０の外側には、箱状のカバー１１８が設けられている。
【００５７】
この研磨装置３Ｃの使用に際しては、汚れた遊技玉をスノコ状の遊技玉供給装置１１７を通して回転ドラム１１０の下側に供給する。このとき、洗浄液を回転ドラム内に供給すると効果的である。この遊技玉Ｂは、回転ドラム１１０の永久磁石により吸着保持されて回転ドラム１１０の回転とともに移動する。この間研磨材１１５に押し付けられて研磨され、汚れの落ちた遊技玉は、仕切り板１２０によって回転ドラム１１０の表面から取り外され、仕切り板１２０の上面を通って外部へ排出される。
【００５８】
仕切り板１２０の端面には、遊技玉Ｂの赤道が接するように、回転ドラム１１０と仕切り板１２０との間に隙間を設けてあり、この位置に達した遊技玉Ｂは、回転ドラム１１０から取り外されるときにランダムに運動する。このランダム運動をする遊技玉Ｂの下側を永久磁石が通過するとき、遊技玉の磁気が脱磁されるので、清浄化された遊技玉に残留磁気は存在しなくなる。
【００５９】
この実施形態における研磨装置３Ｃの研磨材１１５としては、カーペット状のものが効果的であるが、スポンジ等の発泡体や微粒子砥石でもよい。図示例では、回転ドラム１１０の外面の永久磁石１１２の外側位置にスリット１１３が形成されているので、遊技玉がこのスリットに係合し、回転ドラム１１０から脱落しにくくなっているが、場合によっては、このスリットを省略してもよい。また、永久磁石の代わりに電磁石を採用することも可能である。また、別途脱磁装置を設けておいてもよい。
【００６０】
図１２、図１３は、研磨装置のさらに異なる実施形態を表すもので、この研磨装置３Ｄは、回転円盤１３０を備え、該回転円盤の上面には、遊技玉が部分的に嵌り込む溝１３１が複数条形成されている。また、この回転円盤１３０の上側には、シート状の研磨材１３５が設けられている。研磨材１３５の外周部には、円形の側壁１３６が設けられ、その適所に遊技玉を供給する投入口１３７と研磨された遊技玉を排出する排出口１３８が設けられている。
【００６１】
上記投入口１３７には、玉供給樋１４０が接続されており、前記排出口１３８には、玉排出樋１４１が接続されている。なお、前記回転円盤１３０の下部には回転軸１４５が突設されており、この回転軸１４５がモータ１４６で回転駆動されるようになっている。
【００６２】
この研磨装置３Ｄの使用に際しては、玉供給樋１４０から使用済みの汚れた遊技玉を適量ずつ供給する。このとき、適量の洗浄液を同時に供給すると効果的である。この遊技玉Ｂは、前記投入口１３７から回転円盤の溝上に供給され、回転円盤１３０の回転とともに排出口１３８側へ移動するが、その間玉の通路上に被せられている研磨材１３５に摺接して転動しながら研磨される。このようにして研磨された遊技玉は、排出口１３８から玉排出樋１４１に排出され、外部へ排出される。
【００６３】
上記研磨材１３５としては、カーペット状のものが効果的であるが、スポンジ等の発泡体や、微粒子砥石でもよい。なお、図示例では、回転軸がほぼ垂直な縦軸となっているが、横向きであってもよく、適当な角度（例えば４５度）だけ傾斜していてもよい。
【００６４】
以上の説明から明らかなように、本考案に係る洗浄研磨機は、使用により汚れた遊技玉を島以外で簡単に清浄化することができるもので、装置的にコンパクトであり、図示例ではキャスターが付いているため、所望の場所に簡単に移動させて作業をおこなうことができる。なお、洗浄液に濡れた遊技玉は、種々の乾燥装置で乾燥することができるが、例えば遠心脱水機のような遠心式分離装置を用いてもよい。
【符号の説明】
【００６５】
１            洗浄研磨機
２            本体
３            研磨装置
４            乾燥装置
５            搬送装置
７            キャスター
１０          投入口
２０          回転ドラム
３０          洗浄タンク
４０          回転ドラム
４５          乾燥ブロワ
６０          受け容器
７５          回転円盤
７７          回転ブラシ
９０          回転ドラム
１００        洗浄液タンク
１１０        回転ドラム
１１５        研磨材
１３０        回転円盤
Ｂ            遊技玉
【図１】
0003196786.tif 000003
【図２】
0003196786.tif 000004
【図３】
0003196786.tif 000005
【図４】
0003196786.tif 000006
【図５】
0003196786.tif 000007
【図６】
0003196786.tif 000008
【図７】
0003196786.tif 000009
【図８】
0003196786.tif 000010
【図９】
0003196786.tif 000011
【図１０】
0003196786.tif 000012
【図１１】
0003196786.tif 000013
【図１２】
0003196786.tif 000014
【図１３】
0003196786.tif 000015